(57)【特許請求の範囲】
【請求項１】
一端部が片持ち支持されて自由端側に磁気ヘッドが設けられたヘッド支持アームと、
上記ヘッド支持アームの自由端に係合されて上記磁気ヘッドの位置を規制する位置規制片とを備え、
上記位置規制片は、第１の回動支点を中心として回動し、
上記ヘッド支持アームは、上記第１の回動支点より回動半径が小とされた第２の回動支点を中心として回動し、
上記位置規制片は、上記第１の回動支点を中心として開方向に回動されると、上記ヘッド支持アームの自由端から離間された退避位置から、上記ヘッド支持アームの自由端に係合される規制位置に移動し、上記ヘッド支持アームの自由端は、上記第２の回動支点を中心として回動し、上記位置規制片に係合する磁気ヘッド装置。
【請求項２】
一端部が片持ち支持されて自由端側に磁気ヘッドが設けられたヘッド支持アームと、
上記ヘッド支持アームの上記磁気ヘッドをディスクカートリッジに臨ませるための記録及び／又は再生用の開口部を有し、一端側が回動可能に支持されてディスクカートリッジを保持するカートリッジホルダと、
上記カートリッジホルダの記録及び／又は再生用の開口部の開口縁に設けられて、上記ヘッド支持アームの自由端に係合されることにより上記磁気ヘッドの位置を規制する位置規制片と、
一端が上記カートリッジホルダに回動可能に支持されて、上記ヘッド支持アームの上記磁気ヘッドをディスクカートリッジに対して近接離間させるように上記ヘッド支持アームを昇降動作させるヘッド昇降板と、
上記ヘッド昇降板に係合され、上記ヘッド支持アームの上記磁気ヘッドの回動量を制御する制御部とを備え、
上記カートリッジホルダは、第１の回動支点を中心として回動し、
上記ヘッド支持アームは、上記第１の回動支点より回動半径が小とされた第２の回動支点を中心として回動し、
上記位置規制片は、上記カートリッジホルダが上記第１の回動支点を中心として開方向に回動されると、上記ヘッド支持アームの自由端から離間された退避位置から、上記ヘッド支持アームの自由端に係合される規制位置に移動し、上記制御部は、上記ヘッド昇降板を介して、上記ヘッド支持アームを上記第２の回動支点を中心として回動し、上記ヘッド支持アームの自由端を、上記位置規制片に係合させる記録及び／又は再生装置。
【請求項３】
更に、上記位置規制片が上記ヘッド支持アームの自由端から離間された退避位置にあるとき、上記ヘッド昇降板に係合され、上記ヘッド支持アームの上記磁気ヘッドが上記カートリッジホルダ内に進入することを規制する規制片を有する請求項２に記載の記録及び／又は再生装置。
【請求項４】
更に、ベースシャーシに対してスライド可能であり、当該ベースシャーシに対して一方向にスライドされる際、上記ヘッド昇降板に係合され、上記ヘッド支持アームを上記第２の回動支点を中心として上記ヘッド支持アームの上記磁気ヘッドをディスクカートリッジに対して近接する方向に回動する操作片を有する請求項３に記載の記録及び／又は再生装置。
【発明の詳細な説明】
【０００１】
【発明の属する技術分野】
本発明は、例えば磁気ディスク、光磁気ディスク等のディスク状記録媒体に情報を記録及び／又は再生する磁気ヘッド装置、並びにこの磁気ヘッド装置を備える記録及び／又は再生装置に関する。
【０００２】
【従来の技術】
ディスク状記録媒体として例えば光磁気ディスクを有するディスクカートリッジが知られている。この種のディスクカートリッジの光磁気ディスクに対して情報を記録再生する記録再生装置としては、装置本体と、この装置本体に対して開閉可能に設けられた蓋体とを備える携帯型の記録再生装置がある。
【０００３】
このような携帯型の記録再生装置の装置本体は、ディスクカートリッジ内の光磁気ディスクを回転駆動するディスク回転駆動機構と、ディスクカートリッジを装置本体に対して挿脱可能とする挿脱位置とディスクカートリッジに対して情報を記録再生可能とする記録再生位置とにディスクカートリッジを移送するローディング機構と、光磁気ディスクに対する情報の記録を行う磁気ヘッド機構と、光磁気ディスクに対する情報の再生を行う光ピックアップ機構とを備えている。
【０００４】
ディスク回転駆動機構は、光磁気ディスクが載置されるディスクテーブルと、このディスクテーブルを回転駆動するスピンドルモータとを備えている。ローディング機構は、ディスクカートリッジを保持するカートリッジホルダと、このカートリッジホルダを挿脱位置と記録再生位置とに移動する移動機構とを備えている。カートリッジホルダには、蓋体が取り付けられている。
【０００５】
磁気ヘッド機構は、磁気ヘッドを有するヘッド部と、このヘッド部を支持するヘッド支持アームと、このヘッド支持アームの基端側に設けられるベースプレートと、ヘッド支持アームを弾性変位可能に支持する弾性支持片と、ヘッド支持アームのヘッド部を光磁気ディスクに対して近接離間させる方向に昇降動作させるヘッド昇降板とを備えている。ヘッド支持アームは、一端が、磁気ヘッド機構と光ピックアップ機構を一体的に連結する連結部材に片持ち支持されており、自由端側にヘッド部が設けられている。弾性支持片は、一端が、ヘッド支持アームの固定端に固定されるとともに、他端がヘッド支持アームの中途部に当接されている。ヘッド昇降板は、一端側がカートリッジホルダに回動可能に支持されており、他端側がヘッド支持アームの中途部に当接されている。そして、磁気ヘッド機構は、ヘッド昇降板が回動されることによってヘッド支持アームが回動操作されて、ヘッド支持アームの自由端側のヘッド部が光磁気ディスクに対して昇降動作される。
【０００６】
光ピックアップ機構は、光磁気ディスクから情報を再生する光ピックアップと、この光ピックアップを光磁気ディスクの径方向に移送する送り機構とを備えている。
【０００７】
以上のように構成された記録再生装置は、ディスクカートリッジがカートリッジホルダ内に装填されて、ローディング機構によってカートリッジホルダが挿脱位置から記録再生位置に移送されるとともに、ディスク回転駆動機構によって光磁気ディスクが回転駆動される。そして、記録再生装置は、再生時、記録再生位置に移送されたディスクカートリッジの光磁気ディスクから光ピックアップ機構によって情報が再生される。また、記録再生装置は、記録時に、記録再生位置に移送されたディスクカートリッジの光磁気ディスクに対して磁気ヘッド機構によって情報が記録される。
【０００８】
【発明が解決しようとする課題】
ところで、上述した記録再生装置が備える磁気ヘッド機構は、ディスクカートリッジがカートリッジホルダに対して挿脱される際に、ヘッド支持アームのヘッド部がディスクカートリッジに対して所定の退避位置に移動されるように構成されている。
【０００９】
しかしながら、従来の磁気ヘッド機構は、ヘッド部の退避位置のバラツキによって、カートリッジホルダに対してディスクカートリッジを挿脱する際に、ディスクカートリッジの外周部にヘッド部が衝突してしまい、ヘッド部を破損してしまうという問題がある。
【００１０】
従来の磁気ヘッド機構は、ヘッド昇降板によってヘッド支持アームが回動操作される回動支点と、自由端側に設けられたヘッド部との距離のバラツキや、ヘッド支持アーム等の組み立て後の変形等を考慮すると、カートリッジホルダに保持されたディスクカートリッジに対して比較的大きく退避させる必要があり、装置全体が大型化してしまうという不都合がある。
【００１１】
また、従来の磁気ヘッド機構は、ヘッド支持アームの自由端側のヘッド部の回動量に対して回動量が小さいヘッド昇降板によって昇降動作される。このため、磁気ヘッド機構は、ヘッド昇降板のバラツキによって、ヘッド支持アームの自由端側の移動量のバラツキが大きくなってしまう。したがって、従来の磁気ヘッド機構は、ヘッド部を所定の退避位置に移動させるようにヘッド支持アームの動作を制御するために、組み立て精度を高める必要があるという不都合がある。
【００１２】
そこで、本発明は、磁気ヘッドの位置を確実に規制することを可能とし、カートリッジホルダに対してディスクカートリッジを挿脱する際に、ディスクカートリッジと磁気ヘッドの衝突を確実に防止することを可能とする磁気ヘッド装置並びに記録及び／又は再生装置を提供することを目的とする。
【００１３】
【課題を解決するための手段】
上述した目的を達成するため、本発明に係る磁気ヘッド装置は、一端部が片持ち支持されて自由端側に磁気ヘッドが設けられたヘッド支持アームと、上記ヘッド支持アームの自由端に係合されて上記磁気ヘッドの位置を規制する位置規制片とを備え、上記位置規制片は、第１の回動支点を中心として回動し、上記ヘッド支持アームは、上記第１の回動支点より回動半径が小とされた第２の回動支点を中心として回動し、上記位置規制片は、上記第１の回動支点を中心として開方向に回動されると、上記ヘッド支持アームの自由端から離間された退避位置から、上記ヘッド支持アームの自由端に係合される規制位置に移動し、上記ヘッド支持アームの自由端は、上記第２の回動支点を中心として回動し、上記位置規制片に係合する。
【００１４】
以上のように構成した磁気ヘッド装置は、位置規制片が規制位置に移動されることにより、ヘッド支持アームの自由端に係合される。また、この磁気ヘッド装置は、位置規制片が退避位置に移動されることにより、ヘッド支持アームの自由端から係合が解除されて離間される。
【００１５】
本発明に係る記録及び／又は再生装置は、一端部が片持ち支持されて自由端側に磁気ヘッドが設けられたヘッド支持アームと、上記ヘッド支持アームの上記磁気ヘッドをディスクカートリッジに臨ませるための記録及び／又は再生用の開口部を有し、一端側が回動可能に支持されてディスクカートリッジを保持するカートリッジホルダと、上記カートリッジホルダの記録及び／又は再生用の開口部の開口縁に設けられて、上記ヘッド支持アームの自由端に係合されることにより上記磁気ヘッドの位置を規制する位置規制片と、一端が上記カートリッジホルダに回動可能に支持されて、上記ヘッド支持アームの上記磁気ヘッドをディスクカートリッジに対して近接離間させるように上記ヘッド支持アームを昇降動作させるヘッド昇降板と、上記ヘッド昇降板に係合され、上記ヘッド支持アームの上記磁気ヘッドの回動量を制御する制御部とを備え、上記カートリッジホルダは、第１の回動支点を中心として回動し、上記ヘッド支持アームは、上記第１の回動支点より回動半径が小とされた第２の回動支点を中心として回動し、上記位置規制片は、上記カートリッジホルダが上記第１の回動支点を中心として開方向に回動されると、上記ヘッド支持アームの自由端から離間された退避位置から、上記ヘッド支持アームの自由端に係合される規制位置に移動し、上記制御部は、上記ヘッド昇降板を介して、上記ヘッド支持アームを上記第２の回動支点を中心として回動し、上記ヘッド支持アームの自由端を、上記位置規制片に係合させる。
【００１６】
以上のように構成した記録及び／又は再生装置は、カートリッジホルダが回動することによって、位置規制片が規制位置に移動されて、ヘッド支持アームの自由端に係合されるため、ヘッド支持アームの自由端側が記録及び／又は再生用の開口部からカートリッジホルダ内に進入することを規制される。また、この記録及び／又は再生装置は、カートリッジホルダが回動することによって、位置規制片が退避位置に移動されて、記録及び／又は再生時にヘッド支持アームの自由端から離間されるため、ヘッド支持アームの自由端側が記録及び／又は再生用の開口部からカートリッジホルダ内に進入可能とされる。
【００１７】
【発明の実施の形態】
以下、本発明の具体的な実施形態について、携帯型の記録再生装置を図面を参照して説明する。
【００１８】
図１及び図２に示すように、記録再生装置１は、ディスクカートリッジ６に対して情報を記録再生する装置本体３と、この装置本体３に対して開閉可能に設けられた蓋体４とを備えている。この記録再生装置１には、図２に示すように、光磁気ディスク７が内部に収納されたディスクカートリッジ６が適用される。
【００１９】
装置本体３は、図３及び図４に示すように、ディスクカートリッジ６内の光磁気ディスク７を回転駆動するディスク回転駆動機構１１と、ディスクカートリッジ６を装置本体３に対して挿脱可能とする挿脱位置とディスクカートリッジ６に対して情報を記録再生可能とする記録再生位置とにディスクカートリッジ６を移送するローディング機構１２と、光磁気ディスク７に対する情報の記録を行う磁気ヘッド機構１３と、光磁気ディスク７に対する情報の再生を行う光ピックアップ機構１４とを備えている。
【００２０】
ディスク回転駆動機構１１は、図２に示すように、光磁気ディスク７が載置されるディスクテーブル２１と、このディスクテーブル２１を回転駆動するスピンドルモータとを備えている。スピンドルモータ２２は、ベースシャーシ２０の主面の中央部に設けられている。
【００２１】
ローディング機構１２は、ディスクカートリッジ６を保持するカートリッジホルダ２５と、このカートリッジホルダ２５を挿脱位置と記録再生位置とに移動するためのスライダ２６と、このスライダ２６を移動する移動機構とを備えている。
【００２２】
カートリッジホルダ２５は、図２及び図３に示すように、前端側にディスクカートリッジ６が挿脱される挿脱口２８を有しており、後端側がベースシャーシ２０に矢印ａ1 方向及びａ2 方向に回動可能に支持されている。カートリッジホルダ２５は、弾性を有する金属材料によって形成されており、ディスクカートリッジ６の主面に対向する天板３１と、ディスクカートリッジ６の挿脱方向に平行な両側面をそれぞれ保持する側面板３２，３３と、ディスクカートリッジ６の底面が載置される受板３４，３５とを有している。
【００２３】
カートリッジホルダ２５の各側面板３２，３３の後端側には、ベースシャーシ２０に設けられた回動支軸３８，３８が回動可能に挿通される軸穴３９，３９がそれぞれ設けられている。カートリッジホルダ２５の天板３１には、光ピックアップ機構１４に対向する位置に、磁気ヘッド機構１３を光磁気ディスク７に臨ませるための記録用の開口部４１が略矩形状を呈して形成されている。また、カートリッジホルダ２５の天板３１には、ディスクカートリッジ６の主面に係合する係合片４３，４３，４３及び蓋体４を押し上げるための押し上げ片４４，４４が一部を切り起こして弾性変位可能にそれぞれ形成されている。また、カートリッジホルダ２５の各側面板３２，３３には、ディスクカートリッジ６の両側面に各々係合する係合片４５，４５が一部を切り起こして弾性変位可能にそれぞれ形成されている。
【００２４】
スライダ２６は、ベースシャーシ２０の一側面部に、矢印ｂ1 方向及びｂ2 方向に移動可能に設けられている。スライダ２６は、移動方向と平行にガイドスリット４７，４７がそれぞれ設けられており、これらガイドスリット４７，４７内に、ベースシャーシ２０の一側面部に設けられたガイド突部４８，４８が移動可能にそれぞれ係合されている。
【００２５】
また、スライダ２６には、図３に示すように、長手方向の一側端に沿って、磁気ヘッド機構１３の位置を規制する規制片５１と、磁気ヘッド機構１３の回動量を制御する制御片５２と、磁気ヘッド機構１３を移動操作するための操作片５３とが、所定の間隔をあけてそれぞれ形成されている。また、スライダ２６には、一側端に沿った所定の範囲に、移動機構２７に噛合されるラック５５が形成されている。
【００２６】
移動機構２７は、ベースシャーシ２０の底面上に設けられており、スライダ２６のラック５５に噛合される駆動ギヤ５６と、この駆動ギヤ５６を回転駆動する駆動軸５７と、この駆動軸５７を回転駆動するギヤ群５８と、これらギヤ群５８を回転駆動するローディング用モータ５９とを有している。
【００２７】
磁気ヘッド機構１３は、磁気ヘッド６２を有するヘッド部６１と、このヘッド部６１を支持するヘッド支持アーム６３と、このヘッド支持アーム６３を介してヘッド部６１を光磁気ディスク７に対して近接離間させる方向に昇降動作させるためのヘッド昇降板６４とを備えている。
【００２８】
ヘッド部６１は、光磁気ディスク７に情報を記録する磁気ヘッドと、この磁気ヘッドを光磁気ディスク７に対して所定の間隔で浮上させて又は接触させて走行させるためのスライダ２６とを有している。また、ヘッド部６１は、ヘッド支持アーム６３に沿って設けられたフレキシブル・ケーブルを介して図示しない電力供給部に電気的に接続されている。
【００２９】
ヘッド支持アーム６３は、弾性を有する金属材料によって平板状に形成されている。ヘッド支持アーム６３は、固定端側が、光学ピックアップ機構１４と連結する連結部材７０に片持ち支持されて固定されており、自由端側の光ピックアップ機構１４に対向する面側にヘッド部６１が配設されている。
【００３０】
ヘッド支持アーム６３は、固定端側から自由端側に向かって幅が次第に小とされるように形成されている。また、ヘッド支持アーム６３は、図示しないが、長手方向の複数箇所が厚み方向にそれぞれ折曲されて全体略へ字状を呈するように形成されている。
【００３１】
そして、ヘッド支持アーム６３には、自由端に、カートリッジホルダ２５に係合可能とされる係合片７１が長手方向に所定量だけ突出させて一体に形成されている。また、カートリッジホルダ２５の記録用の開口部４１には、図３及び図４に示すように、ヘッド支持アーム６３の自由端側に臨む開口縁に、ヘッド支持アーム６３の係合片７１に係合することによってディスクカートリッジ６に対するヘッド部６１の位置を規制するための略矩形状の位置規制片７３が、光磁気ディスク７の径方向に沿って一体に突出形成されている。
【００３２】
この位置規制片７３は、図５に示すように、主面が、天板３１の厚み方向に対してヘッド部６１の厚みより大とされる所定の突出量を以て外方に突出された断面略Ｌ字状を呈して形成されており、ヘッド支持アーム６３の係合片７１が係合された状態で、ヘッド支持アーム６３のヘッド部６１が、天板３１の内面からカートリッジホルダ２５の内方側に突出されないように形成されている。したがって、ヘッド支持アーム６３は、係合片７１がカートリッジホルダ２５の位置規制片７３に係合されて支持されることによって、カートリッジホルダ２５に対して挿脱されるディスクカートリッジ６の外周部に衝突することが確実に防止される。
【００３３】
ヘッド昇降板６４は、図３及び図４に示すように、ヘッド支持アーム６３を昇降動作させる主面部７５と、カートリッジホルダ２５に回動可能に支持される一対の支持片７６，７７とを有している。ヘッド昇降板６４の主面部７５は、略矩形をなす平板状に形成されており、ヘッド支持アーム６３の長手方向の中途部に対向する位置に配設されている。また、主面部７５には、スライダ２６に臨む一端に、スライダ２６に係合される係合爪７８が突出形成されている。
【００３４】
支持片７６，７７は、主面部７５の長手方向の両端に、カートリッジホルダ２５の後端側に延長されてそれぞれ形成されており、先端部に矢印ａ１  方向及びａ２  方向に回動可能に支持される回動支軸８０，８０が設けられている。また、カートリッジホルダ２５は、天板３１に、ヘッド昇降板６４の回動支軸８０，８０を回動可能に支持する回動支持片８１，８１がそれぞれ形成されている。また、一方の支持片７７には、一端に、スライダ２６の制御片５２及び操作片５３にそれぞれ係合される作動片８３が形成されている。この作動片８３は、図５に示すように、制御片５２の臨む一端が折曲された所定の形状に形成されている。また、スライダ２６の制御片５２には、一端側にヘッド昇降板６４の作動片８３の一端が係合される係合面８５が形成されるとともに、他端側にヘッド昇降板６４の作動片８３との係合状態を解除するための解除面８６が係合面８５に対して折曲されて形成されている。また、係合面８５は、ヘッド昇降板６４の作動片８３に係合されることによって、回動されるカートリッジホルダ２５の回動軌跡と、ヘッド昇降板６４の回動軌跡がほぼ等しくなるように形成されている。
【００３５】
また、カートリッジホルダ２５の記録用の開口部４１には、ヘッド昇降板６４の主面部７５を支持する支持片８８が弾性変位可能に形成されている。
【００３６】
以上のように構成された磁気ヘッド機構１３について、ヘッド部６１の昇降動作及びヘッド部６１の位置が位置規制片７３によって規制される動作を図面を参照して説明する。
【００３７】
まず、磁気ヘッド機構１３は、図５に示すように、カートリッジホルダ２５が記録再生位置に移動された状態で、カートリッジホルダ２５の天板３１に対してヘッド支持アーム６３が略平行とされており、ヘッド支持アーム６３の係合片７１から所定距離だけ離間された位置にカートリッジホルダ２５の位置規制片７３が位置されている。したがって、ヘッド支持アーム６３は、係合片７１が位置規制片７３に当接することなく、光磁気ディスク７に近接する矢印ａ2 方向に下降することが可能とされている。また、磁気ヘッド機構１３は、ヘッド昇降板６４の係合爪７８がスライダ２６の規制片５１に係合されることにより、ヘッド昇降板６４が矢印ａ2 方向に回動することが規制されており、ヘッド支持アーム６３のヘッド部６２がカートリッジホルダ２５内に移動することが防止されている。
【００３８】
つぎに、磁気ヘッド機構１３は、図６に示すように、記録時に、ローディング機構１２によりスライダ２６が矢印ｂ1 方向に移送されることによって、スライダ２６の規制片５１とヘッド昇降板６４の係合爪７８の係合状態が解除されて、ヘッド昇降板６４が矢印ａ2 方向に回動可能とされる。また、磁気ヘッド機構１３は、スライダ２６が矢印ｂ1 方向に移動されることによって、スライダ２６の操作片５３がヘッド昇降板６４の作動片８３の一端に当接され、操作片５３が作動片８３の一端側から他端側に沿って摺動することに伴って、ヘッド昇降板６４が矢印ａ2 方向に回動される。ヘッド支持アーム６３は、ヘッド昇降板６４の主面部７５が矢印ａ2 方向に回動されることに伴って、係合片７１が位置規制片７３に当接されることなく、ヘッド部６１を矢印ａ2 方向に移動させて光磁気ディスク７に臨ませる。
【００３９】
また、磁気ヘッド機構１３は、図５及び図７に示すように、カートリッジホルダ２５が矢印ａ1 方向に回動操作されることにより、ヘッド昇降板６４が矢印ａ1 方向に回動されて、カートリッジホルダ２５の位置規制片７３とヘッド支持アーム６３の係合片７１が矢印ａ1 方向にそれぞれ移動される。
【００４０】
ヘッド支持アーム６３は、図７に示すように、ヘッド昇降板６４の作動片８３がスライダ２６の制御片５２の係合面８５と係合されることにより、自由端側のヘッド部６１の回動量と、カートリッジホルダ２５の位置規制片７３の回動量とがほぼ等しくなるように規制されている。このため、この磁気ヘッド機構１３は、カートリッジホルダ２５及びヘッド支持アーム６３が矢印ａ1 方向にそれぞれ移動された際に、カートリッジホルダ２５の位置規制片７３の内面側にヘッド支持アーム６３の係合片７１が進入してしまうことが確実に防止されている。
【００４１】
そして、磁気ヘッド機構１３は、図７に示すように、カートリッジホルダ２５が矢印ａ1 方向に回動操作されることに伴って、カートリッジホルダ２５とヘッド支持アーム６３の各回動支点の差異により、カートリッジホルダ２５の位置規制片７３が、ヘッド支持アーム６３の係合片７１に係合可能とされる規制位置まで移動される。
【００４２】
磁気ヘッド機構１３は、図８に示すように、ヘッド支持アーム６３の係合片７１に係合可能とされる規制位置にカートリッジホルダ２５の位置規制片７３が移動された後、ヘッド昇降板７３の作動片８３の一端がスライダ２６の制御片５２の解除面８６に対応する位置に移動されて、ヘッド昇降板６４の作動片８３とスライダ２６の制御片５２の係合面８５との係合状態が解除される。このため、ヘッド支持アーム６３は、ヘッド昇降板６４が矢印ａ2 方向に回動されることによって、自由端側のヘッド部６１が矢印ａ2 方向に回動されて、係合片７１がカートリッジホルダ２５の位置規制片７３に係合されて支持される。したがって、磁気ヘッド機構１３は、ディスクカートリッジ６が挿脱される挿脱位置にカートリッジホルダ２５が移動されたとき、ヘッド支持アーム６３の係合片７１がカートリッジホルダ２５の位置規制片７３に係合されるため、ヘッド部６１がカートリッジホルダ２５の内方に対して確実に退避されることによって、挿脱されるディスクカートリッジ６にヘッド部６１が衝突することが防止されている。
【００４３】
すなわち、磁気ヘッド機構１３は、図７及び図８に示すように、カートリッジホルダ２５が矢印ａ1 方向に回動された直後しばらくの間、カートリッジホルダ２５の位置規制片７３とヘッド支持アーム６３の係合片７１が矢印ａ1 方向にそれぞれ回動されて、その後ヘッド支持アーム６３の係合片７１が矢印ａ2 方向に回動されることにより、位置規制片７３に係合片７１が係合される。
【００４４】
上述した本発明に係る磁気ヘッド機構１３は、上述した従来の磁気ヘッド機構に比較して、ヘッド昇降板６４によるヘッド支持アーム６３の回動支点が、カートリッジホルダ２５の回動支点に対して、ヘッド支持アーム６３の自由端側に位置されることによって、カートリッジホルダ２５の回動量に対するヘッド支持アーム６３の自由端側の回動量が比較的大きくなされている。すなわち、磁気ヘッド機構１３は、ヘッド支持アーム６３のヘッド部６１をカートリッジホルダ２５の天板３１に対して大きく離間させて退避させることができる。
【００４５】
しかしながら、磁気ヘッド機構１３は、カートリッジホルダ２５の天板３１に対してヘッド部６１を大きく退避させ続けた場合に装置全体の厚みが大きくなってしまう不都合があるため、ヘッド部６１を所定の退避位置まで一旦移動させた後に、位置規制片７３にヘッド支持アーム６３の係合片７１が係合されるように矢印ａ2 方向に下降させることにより、記録再生装置１全体の厚みの薄型化が図られている。
【００４６】
また、磁気ヘッド機構１３は、ヘッド昇降板６４の作動片８３がスライダ２６の制御片５２の係合面８５に係合されて位置規制片７３とヘッド部６１との各回動量がほぼ等しくされることにより、位置規制片７３の内面側にヘッド支持アーム６３の係合片７１が進入することが防止されている。
【００４７】
光ピックアップ機構１４は、図２及び図４に示すように、光磁気ディスク７から情報を再生する光ピックアップ９１と、この光ピックアップ９１を支持する送りベース９２と、この送りベース９２を光磁気ディスク７の径方向に移送する送り機構９３とを備えている。図示しないが、光ピックアップ９１は、対物レンズを有する光学系と、対物レンズの光軸方向及びこの光軸方向に直交する方向に対物レンズをそれぞれ駆動変位するレンズ駆動部と、レーザ光を出射する光源と、光磁気ディスク７からの戻り光を受光する受光部とを備えている。光ピックアップ９１は、ベースシャーシ２０に設けられた再生用の開口部９４内に光磁気ディスク７の径方向に移動可能に設けられた送りベース９２上に固定されて設けられている。送り機構９３は、図４に示すように、送りベース９２を光磁気ディスク７の径方向に駆動する駆動軸９５と、この駆動軸９５を駆動ギヤ群９６を介して回転駆動する送り用モータ９７とを有している。また、送りベース９２は、送り機構９３の駆動軸９５及びローディング機構１２の駆動軸５７に跨って移動可能に支持されている。
【００４８】
蓋体４は、カートリッジホルダ２５に固定されて設けられており、カートリッジホルダ２５を介して装置本体３に対して矢印ａ1 方向及びａ2 方向に回動可能に支持されている。この蓋体４の内面側には、各ディスク回転駆動機構１１、磁気ヘッド機構１３、光ピックアップ機構１４等を駆動制御するプリント回路基板１０１が配設されている。
【００４９】
プリント回路基板１０１は、図９及び図１０に示すように、弾性を有する樹脂材料によって平板状に形成されており、外形が蓋体４の内面側よりやや小とされて形成されている。プリント回路基板１０１は、一側端から幅方向に直交する方向に切り欠かれることにより、第１の回路部１０３及び第２の回路部１０４とに２分割されるとともに、第１の回路部１０３に対して第２の回路部１０４が弾性変位部１０５を介して弾性変位可能に形成されている。
【００５０】
第１の回路部１０３には、動作状況等を表示するための液晶表示パネル１０８、各種操作を行うための左側操作子１１１がそれぞれ設けられるとともに、各種操作釦群１１３によって押圧される圧電素子群（図示せず）等がそれぞれ設けられている。
【００５１】
第２の回路部１０４は、全体略帯状に形成されており、弾性変位部１０５を介してプリント回路基板１０１の主面に平行な方向及びプリント回路基板１０１の厚み方向にそれぞれ弾性変位可能とされている。第２の回路部１０４には、各種操作を行うための右側操作子１１２が設けられるとともに、各種操作釦群１１４によって押圧される圧電素子群（図示せず）が設けられている。
【００５２】
右側操作子１１２及び左側操作子１１１は、いわゆるジョグダイヤル型の操作釦であり、略円弧状に形成されており中央部が矢印ｅ，ｇ方向に押し込み操作可能とされるとともに、矢印ｆ1 方向及びｆ2 方向、ｈ1 方向及びｈ2 方向に回動操作可能に設けられている。
【００５３】
また、第１及び第２の回路部１０３，１０４には、一側端部に、蓋体４に対して位置決めするための複数の位置決め孔１１６がそれぞれ設けられている。また、プリント回路基板１０１には、各ディスク回転駆動機構１１、磁気ヘッド機構１３、光ピックアップ機構１４等に電気的に接続させるフレキシブル・ケーブル１１９が設けられている。
【００５４】
蓋体４の内面上には、図１１に示すように、プリント回路基板１０１の各位置決め孔１１６にそれぞれ係合されることにより、蓋体４に対してプリント回路基板１０１を位置決めするための複数の位置決めピン１１７がそれぞれ立設されている。また、蓋体４の対向する両側面部には、右側操作子１１２及び左側操作子１１１の一部が挿通されて外方に突出させるための係合スリット１２１，１２２がそれぞれ設けられている。
【００５５】
上述した右側操作子１１２は、比較的使用頻度が高い再生、停止、早送り及び巻戻し等の再生系を操作するために用いられる。右側操作子１１２は、押込み操作することにより再生及び停止が行われ、回動操作することにより早送り及び巻戻しが行われる。左側操作子１１１は、比較的使用頻度が低い表示文字の編集や音響効果設定等の編集系を操作するために用いられる。左側操作子１１１は、回動操作することにより各種設定等の選択が行われ、押込み操作することにより選択された各種設定等が確定される。
【００５６】
また、蓋体４の主面には、図１及び図１１に示すように、液晶表示パネル１０８を目視可能とする透明な窓板１２４が設けられている。また、蓋体４の主面には、窓板１２４の長手方向及び蓋体の一側に沿って、例えば、音量を調整するための音量調整釦、情報の記録を開始するための記録釦、情報の再生動作を一時停止するための一時停止釦等の使用頻度が少ない操作釦群１１３，１１４がそれぞれ位置されている。
【００５７】
以上のように構成されたプリント回路基板１０１は、弾性変位部１０５を介して、第１の回路部１０３に対して第２の回路部１０４を厚み方向に弾性変位させて、左側操作子１１１を係合スリット１２１に係合させて第１の回路部１０３が蓋体４の内面に取り付けられるとともに、第１の回路部１０３に対して第２の回路部１０４を主面に平行な方向に弾性変位させて、右側操作子１１２を係合スリット１２２に係合させて第２の回路部１０４が蓋体４の内面に取り付けられる。
【００５８】
そして、プリント回路基板１０１は、図１２に示すように、各右側操作子１１２、左側操作子１１１、操作釦群から操作に応じた信号がそれぞれ制御部に出力されて、制御部から出力される制御信号に基づいて液晶表示パネル１０８に操作内容等が表示されるとともに、各ディスク回転駆動機構１１、磁気ヘッド機構１３、光ピックアップ機構１４等がそれぞれ駆動制御される。
【００５９】
なお、上述した右側操作子１１２及び左側操作子１１１は、単独で操作が行われるように構成されたが、右側操作子１１２及び左側操作子１１１を同時に押込み操作されるあるいは組み合わせて操作されることにより、使用頻度が希な操作が行われるように構成されてもよい。例えば、右側操作子１１２及び左側操作子１１１は、同時に押し込み操作されることにより、光磁気ディスク７に記録されている情報の消去が行われるように構成されてもよい。
【００６０】
また、右側操作子１１２及び左側操作子１１１は、例えば、同時に押し込み操作されることにより、記録が行われるように構成されたり、あるいは一方の操作子を所定時間だけ押込み操作した後に他方の操作子により音量調整が行われるように構成されてもよい。このように、右側操作子１１２及び左側操作子１１１を組み合わせて操作することで使用頻度が少ない操作が行われるように構成されることによって、蓋体４に設けられる操作釦群を削減することが可能とされる。
【００６１】
以上のように構成された記録再生装置１について、ディスクカートリッジ６に対して情報を記録再生する動作を説明する。
【００６２】
まず、記録再生装置１は、ディスクカートリッジ６がカートリッジホルダ２５内に装填されて、ローディング機構１２によってカートリッジホルダ２５が矢印ａ2 方向に回動されることにより、カートリッジホルダ２５に保持されたディスクカートリッジ６が挿脱位置から記録再生位置に移送される。記録再生位置に移送されたディスクカートリッジ６は、光磁気ディスク７が、ディスクテーブル２１上に載置されて、ディスク回転駆動機構１１によって回転駆動される。
【００６３】
記録再生装置１は、光磁気ディスク７から情報を再生する場合、光ピックアップ機構１４の送りベース９２が、光磁気ディスク７の径方向に移動されて光ピックアップ９１によって情報の読み取り再生が行われる。
【００６４】
また、記録再生装置１は、光磁気ディスク７に対して情報を記録する場合、磁気ヘッド機構１３によってヘッド支持アーム６３のヘッド部６１が矢印ａ2 方向に回動されて光磁気ディスク７に臨まされるとともに、光磁気ディスク７の径方向に移動されてヘッド部６１によって情報の書き込み記録が行われる。
【００６５】
また、記録再生装置１は、ローディング機構１２によってカートリッジホルダ２５が矢印ａ1 方向に回動されることにより、カートリッジホルダ２５に保持されたディスクカートリッジ６が記録再生位置から挿脱位置に移送されて、カートリッジホルダ２５からディスクカートリッジ６が装置外方に排出される。
【００６６】
上述したように、記録再生装置１が備える磁気ヘッド機構１３は、ヘッド支持アーム６３の自由端の係合片７１に対して相対的に近接離間する位置規制片７３を備えることによって、カートリッジホルダ２５に対してディスクカートリッジ６を挿脱操作する際にヘッド部６１がディスクカートリッジ６に衝突して破損することを確実に防止することができる。
【００６７】
また、磁気ヘッド機構１３によれば、構成が簡素化されて、部品点数を削減されるため、製造コストを低減することができるとともに、記録再生装置１全体の小型化、薄型化を図ることができる。
【００６８】
なお、本発明に係る記録再生装置１は、磁気ヘッド機構１３が光磁気ディスク７に対して情報を記録するように構成されたが、例えば磁気ディスク等の他のディスク状記録媒体に対して情報を記録再生するように構成されてもよいことは勿論である。
【００６９】
【発明の効果】
上述したように本発明に係るヘッド装置によれば、位置規制片によってヘッド支持アームの自由端を規制することができる。
【００７０】
また、本発明に係る記録及び／又は再生装置によれば、位置規制片によってヘッド支持アームの自由端を規制することが可能とされるため、カートリッジホルダに対して挿脱されるディスクカートリッジと磁気ヘッドが衝突することを確実に防止することができる。また、この記録及び／又は再生装置によれば、装置全体の小型化、薄型化を図ることができる。
【００７１】
【図面の簡単な説明】
【図１】本発明に係る記録再生装置を示す斜視図である。
【図２】上記記録再生装置に対してディスクカートリッジが挿脱される状態を示す斜視図である。
【図３】上記記録再生装置の要部を示す斜視図である。
【図４】上記記録再生装置の要部を示す平面図である。
【図５】上記記録再生装置が備える磁気ヘッド機構を再生状態を示す側面図である。
【図６】上記磁気ヘッド機構を示す側面図である。
【図７】上記磁気ヘッド機構を示す側面図である。
【図８】上記磁気ヘッド機構を示す側面図である。
【図９】上記記録再生装置が備える蓋体に設けられたプリント回路基板を示す平面図である。
【図１０】上記蓋体に設けられるプリント回路基板を説明するために示す平面図である。
【図１１】上記プリント回路基板が取り付けられる蓋体の内面側を示す平面図である。
【図１２】上記プリント回路基板の制御を説明するために示すブロック図である。
【符号の説明】
１  記録再生装置、１３  磁気ヘッド機構、５２  制御片、６１  ヘッド部、６３  ヘッド支持アーム、７１  係合片、７３  位置規制片
【図１】
0004238468.tif 000002
【図２】
0004238468.tif 000003
【図３】
0004238468.tif 000004
【図４】
0004238468.tif 000005
【図５】
0004238468.tif 000006
【図６】
0004238468.tif 000007
【図７】
0004238468.tif 000008
【図８】
0004238468.tif 000009
【図９】
0004238468.tif 000010
【図１０】
0004238468.tif 000011
【図１１】
0004238468.tif 000012
【図１２】
0004238468.tif 000013